(57)【要約】【課題】 従来から、硯で暴を磨った場合、墨が減ってくると、墨を挟んで持つための道具である、墨柄がありますが、墨もある程度の長さが必要です。しかも墨も最後まで使い切ることができません。又手も腕も疲れるという問題があります。【解決の手段】 そこで本発明の墨磨具の本体上部２は脹らむ当に湾曲しており、中心は四角又は丸い穴があり、この穴の中に入るスライド部材１とで構成し、スライド部材の上部１は本体の上部２と同じ半径上にあるため、スライド部材の底面８に墨を貼る事により、本体の上部から突出し、その突出部１と本体の上部２を握り、手の窪で下の押す事により、墨が凹部から適度に出て硯に擦り付けられて墨が磨れ、スライド部材１を上に案内することにより、スライド部材の底面8に貼った墨は本体の凹部に入り、カバー5を被せる事できる墨磨具を提案します。【選択図】 図３
2011016269.tif 000002
【特許請求の範囲】
【請求項１】
墨磨具の本体の上部は、脹らむように湾曲しており、周囲は多角形になっており、中心は四角又は丸い穴があり、この穴の入る、スライド部材とで構成し、スライド部材の低面に墨を貼る事により、本体の上部から突出しその突出部と本体の上部を握り、手の窪で下に押す事により、墨が凹部から適度に出て硯に擦り付けられて墨が磨れ、スライド部材を上に案内することにより、スライド部材に貼った墨は本体の凹部に入り、カバーを被せる事の出来る事を特徴とする墨磨具。
【請求項２】
スライド部材は、本体の中心にあり、途中で退避することができ、手の窪で押すことにより、硯に垂直に擦り付ける事ができて、最後まで墨を使い切ることができる事を特徴とする、請求項１の墨磨具。
【請求項３】
本体の底面には四箇所の突起が設けてあり、これにより墨を磨るときに本体の底部が、硯の墨堂に触れないようにした事を特徴とする、請求項１又は請求項２の墨磨具。
【発明の詳細な説明】
【技術分野】
【０００１】
本発明は、硯で墨を磨ることに関するものです。
【背景技術】
【０００２】
昨今、書道人口が多くなり、書道を楽しんでおりますが、その際硯で墨を磨るのが煩わしく感じていますし、指も腕も疲れます。このような傾向の中でも、近頃では、指や腕に障害のある方でも訓練を兼ねて書道を楽しんでおりますが、墨磨りにはなかなか苦労しております。
そこで墨磨具の一例として、墨磨りを楽に磨るための道具として特許文献１、特許文献２に記載のものがあります。
【先行技術文献】
【特許文献】
【０００３】
【特許文献１】登録実用新案第３００１８３６号
【特許文献２】登録実用新案第３０１９４２２号
【発明の概要】
【発明が解決しようとする課題】
【０００４】
そこでこの様に、従来から硯で墨を磨った場合、墨が減ると、墨を抓みにくくなり、墨を磨りにくく感じています。そのため古来より墨を挟んで持つための道具である墨柄がありますが、墨もある程度の長さが必要ですし、登録実用新案代３００１８３６号も同様です。又登録実用新案第３０１９４２２号は、両手を使い、又墨が減るとそのつど墨を移動しなければなりません、いずれも、カバーもなく、他を汚すし安く、携帯には不便です、又指も腕も疲れるという問題があります。
【課題を解決するための手段】
【０００５】
以上の課題を解決するために、本発明では、墨磨具の上部は脹らむように湾曲しており、周囲は多角形になっており、中心には四角又は丸い穴があり、この中に入るスライド部材とで構成した墨磨具を提案します。
【０００６】
そして本発明では、上記構成において、 スライド部材の上部は本体の上部と同じ半径上にあるため、スライド部材の底面に墨を貼ることにより、墨が凹部から適度に出て硯に擦り付けられて墨が磨れ、そしてスライド部材上に案内することにより、カバーを被せる事ができる墨磨具を提案します。
【０００７】
又スライド部材は、本体の中心にあり、途中で退避する事ができ、手の窪で押す事により、硯に垂直に擦り付けられる事ができて、最後まで墨を使い切ることができます。そして本体の底面には、四箇所の突起が設けてあり、これのより墨を磨る時に本体の底部が、硯の墨堂に触れないようにした墨磨具を提案します。
【発明の効果】
【０００８】
本発明の墨磨具は、スライド部材１と本体２とで構成し、本体の上部は、湾曲しており、周囲は多角形になっているため、本体とスライド部材の上部を握りやすくなっており、それを握って硯の墨堂に軽い腕の力で擦り付ける事により、墨が磨れます。
【０００９】
そしてスライド部材１と本体２との上部は同じ半径上にあるため。同時に握ったときは、力が入りやすく、墨が早く磨れます。そして墨磨具としての使い方は簡単で誰にでも容易に使えます。又長時間使用しても疲れが少なく、手入れもかんたんです。
【００１０】
尚スライド部材１と本体２とで構成した墨磨具は、スライド部材の底面８に墨を固定するのだが、短くなった墨を両面テープで貼り付けるだけなので、誰にでも、簡単に取り付けられます。
【００１１】
叉木発明の墨磨具のスライド部材１の底面８に固定した墨は、脱着する必要はなく、最後まで使切る事が出来て、手間が省けます、そしてスライド部材１の底面８に固定した墨は、本体の凹部に入り、その外側９にはカバー５が被せられ、携帯の際にも他を汚すことがありません。
【００１２】
そして本発明の墨磨具は、早く、安全に墨が磨れます、叉木体の上部は湾曲して、周囲は多角形になっているため、手の大きい人も 小さな人も、そして手に多少の障害のある人でも、あまり関係なく、手で握りやすく滑る事もなく、墨を磨る事ができるのが、最大に効果であります。
【００１３】
尚この墨磨具の製作には、精密性はあまり関係なく、プラスチック、アクリルなどの再利用で製作できるため、ユウザ一に安く提供できます。
【図面の簡単な説明】
【００１４】
【図１】本発明の墨磨具を、上から見た状態の説明図です。
【図２】図１のＡ−Ａ−１の断面を表し、スライド部材と本体を表した断面図です。
【図３】図１のＢ−Ｂ−１の断面を表し、スライド部材に墨１０を両面テープで貼り付けて固定した場合の断面図です。
【図４】本発明墨磨具の本体とカバーを表した斜視図です。
【図５】スライド部材の底面３に、墨１０を貼り付けて本体の凹部に退避させてからカバー５を被せた断面図です。
【図６】本体の上部を手で握り、硯１１に擦り付けた場合の斜視図です。
【発明を実施するための形態】
【００１５】
本発明の墨磨具は、上部を湾曲に構成し、本体の上部を握りやすい構造としてあり、握った時に手の窪で、スライド部材１を下に押すことにより、スライド部材が本休の凹部から適度に押し出されます。
【００１６】
このスライド部材１に底面８は平らになっており、その底面に墨を両面テープで貼り付けて固定します、そしてスライド部材１と本体２とを同時に握り硯に擦り付けて墨を磨ります。
【実施例】
【００１７】
次に本発明の実施例を添付図面お参照して説明します。
図１から図６は、本発明墨磨具の、実施例を示すものです。図１は本発明の墨磨具を、上から見た状態の説明図です。図１の１と２は本体の上部を表し、周囲は多角形になっており、これにより本体の上部を握っても滑りにくくなり、墨を磨りやすくなります。
【００１８】
図２は、図１のＡ−Ａ−１の断面を表します、上部は脹らむ様に湾曲しており、中心には四角又は丸い穴があり、この穴に中を、スライド部材が上下に案内されます。本体の上部１と２は同一線上に湾曲しており、これにより本体の上部を握ったときに、握りやすくしたものです。又周囲も多角形になっているので、使う人の手の大小にも対応できます。
【００１９】
尚スライド部材には、板バネ７が設けてあり、これにより本体から手を離しても途中で止まることができ、又スライド部材を上に案内すると、墨が長方形に凹んだ凹部に入り、他を汚す事もなくなります。
【００２０】
図２の３の部分は、丸くなっており、４は３の接点から下に漸次広くなっております。９は４の接点より、垂直に硯の墨堂に接します、そしてこの９にわ、カバー５が被さります。カバーはスライド部材の底面に墨みを固定した際、他を汚さないし、携帯にも便利です。
【００２１】
そして、本体の底面には、突起部分６−ａから６−ｄを４箇所設け、これにより墨を磨ったときに、本体が硯の墨堂を擦らないためのものです。
【００２２】
図３は、図１のＢ−Ｂ−１の断面を表します。スライド部材の底面８に墨１０を貼り付けた状態の断面図です。墨１０をスライド部材の底面に貼り付けて、スライド部材の上部１と本体の上部２とお同時の握り、手の窪でスライド部材を下に押して、硯の墨堂に押し付けて墨を磨ります
【００２３】
図４は、本体とカバーを表した斜視図です。本体の下部９にカバー５を被かぶせます、これにより他を汚す事が防げます。
図５は、スライド部材の底面８に墨１０を貼り付けて、本体の凹部に退避させてから、カバーを被せた断面図です。 通常はこの状態になっております。
図６は、手で本体の上部を握った状態の斜視図です。 図の様に握り、硯１１の墨堂に擦り付けて墨を磨ります。
【００２４】
尚本発明の墨磨具は、墨が減って抓めなくなった小さい墨を、スライド部材の底面８の箇所に両面テープで貼り付け事により、墨を最後まで使い切ることができます。
【産業上の利用可能性】
【００２５】
精神を落ち着かせる書道において、昨今。書道を習う人が多くなりましたが、墨を磨ると言う事を、書道を習う人は、意識的に行っておりますが、書道は近頃介護の手段としても、手や腕の訓練に取り入れる傾向にありますが、墨を磨ると言う事は、なかなか難しく苦労するところです。
【００２６】
そこで本発明の墨磨具は、書道の際、墨を磨るのに実用的な機能に優れ、誰にでも、片手で、簡単に、早く、容易に、軽い腕の力で墨が磨れ、墨も最後まで使い切ることが出来るので、産業行の利用は極めて大であると思われます。
【符号の説明】
【００２７】
１    本発明墨磨具の、スライド部材の上部
２    墨磨具の本体の上部
３    本体の丸くなっている部分
４    本体の漸次広くなっている部分
５    カバー
６    ａからｄ突起部分
７    板ばね
８    スライド部材の底面
９    本体のカバーの被さる部分。
１０  墨
１１  硯
【図１】
2011016269.tif 000003
【図２】
2011016269.tif 000004
【図３】
2011016269.tif 000005
【図４】
2011016269.tif 000006
【図５】
2011016269.tif 000007
【図６】
2011016269.tif 000008